(57)【特許請求の範囲】
【請求項１】
欠陥管理領域(DMA)情報を有するディスクを記録及び再生しうる記録及び再生装置のDMA情報解読機能を検証する方法において、
テスト基準情報を有するテスト用ディスクを用いて前記記録及び再生装置で読出または書込モードを行う段階と、
前記記録及び再生装置の前記読出または書込モードに関して実行するか否かを確認して前記DMA情報解読機能を検証する段階を含む検証方法。
【請求項２】
前記テスト基準情報はミラーファイルの形で構成されたことを特徴とする請求項１に記載の検証方法。
【請求項３】
前記テスト基準情報はDMAミラーファイルの形に構成されたことを特徴とする請求項１に記載の検証方法。
【請求項４】
前記テスト基準情報は少なくとも１つの領域の開始論理セクタ番号が誤記録されたDMAミラーファイルで構成されたことを特徴とする請求項３に記載の検証方法。
【請求項５】
前記チェック段階は前記記録及び再生装置が前記読出または書込モードを行った場合に、前記記録及び再生装置が前記テスト用ディスクのDMAを正常に解読できないものと確認することを含む請求項４に記載の検証方法。
【請求項６】
前記テスト基準情報は各領域の開始論理セクタ番号が誤記録されたDMAミラーファイルで構成されたことを特徴とする請求項３に記載の検証方法。
【請求項７】
前記方法は、空ディスクに前記テスト基準情報を記録して前記テスト用ディスクを生成する段階をさらに含むことを特徴とする請求項１に記載の検証方法。
【請求項８】
前記テストディスクがロードされる時、前記テストディスクに記録された前記DMA情報を解読し、読出または書込モードで処理を行うことを試みることを特徴とする請求項７に記載のテスト方法。
【請求項９】
DMA情報を有するディスクを記録及び再生しうる記録及び再生装置のDMA解読機能をテストする装置において、
テスト基準情報を有するテスト用ディスクと、
前記テスト用ディスクが設けられると、前記テスト用ディスクに記録されたDMA情報を解読して読出または書込モードの実行を試みるテスト対象ディスク駆動装置を含むテスト装置。
【請求項１０】
前記テスト基準情報はミラーファイルの形で構成されたことを特徴とする請求項９に記載のテスト装置。
【請求項１１】
前記テスト基準情報はDMAミラーファイルの形に構成されたことを特徴とする請求項９に記載のテスト装置。
【請求項１２】
前記テスト基準情報は少なくとも１つの開始論理セクタ番号が誤記録されたDMAミラーファイルで構成されたことを特徴とする請求項１１に記載のテスト装置。
【請求項１３】
前記テスト対象ディスク駆動装置は前記テスト用ディスクのDMA情報を正常に解読できない場合に前記読出または書込モードを行うことを特徴とする請求項１２に記載のテスト装置。
【請求項１４】
前記テスト基準情報は各地域の開始論理セクタ番号が誤記録されたDMAミラーファイルで構成されたことを特徴とする請求項１１に記載のテスト装置。
【請求項１５】
前記テスト装置は空ディスクに前記テスト基準情報を記録して前記テスト用ディスクを生成する基準ディスク駆動装置をさらに含むことを特徴とする請求項９に記載のテスト装置。
【請求項１６】
前記基準ディスク駆動装置は前記空ディスクが持っている物理的な条件とは関係なく前記テスト基準情報を記録することを特徴とする請求項１５に記載のテスト装置。
【請求項１７】
前記ディスク駆動装置のテスト装置は前記テストディスク上に記録された少なくとも１つの領域の開始論理セクタ番号が異なる時、前記テスト対象ディスク駆動装置の前記読出または書込モードを実行するか否かをチェックして前記テスト対象ディスク駆動装置の状態を検証する検証器をさらに含むことを特徴とする請求項９に記載のテスト装置。
【請求項１８】
前記検証器は少なくとも１つの領域の開始論理セクタ番号が不正確な時、前記テスト対象ディスク駆動装置が前記読出または書込モードを行うものと判断される場合に、前記テスト対象ディスク駆動装置が正常ではない状態であることを使用者に通報することを特徴とする請求項１７に記載のテスト装置。
【請求項１９】
DMA情報を有するディスクに情報を記録して前記ディスクから情報を再生する記録及び再生装置のDMA情報解読機能を検証する方法において、
テストディスク上の少なくとも１つの領域の不正確な開始論理セクタ番号を有するテスト情報を貯蔵する段階と、
前記記録及び再生装置が前記テストディスクの記録モードまたは再生モードにおいて処理を行っているかを判断する段階とを含む検証方法。
【請求項２０】
前記各領域の開始論理セクタは不正確であることを特徴とする請求項１９に記載の検証方法。
【請求項２１】
前記領域の開始論理セクタ番号は前記テストディスクのDMAのディスク定義構造(DDS)に記録されることを特徴とする請求項１９に記載の検証方法。
【請求項２２】
前記各領域の開始論理セクタ番号は前記テストディスクのDMAのDDSに記録されることを特徴とする請求項２０に記載の検証方法。
【請求項２３】
前記テスト情報はDDS、１次欠陥リスト(PDL)及び２次欠陥リスト(SDL)情報を有するDMAミラーファイルであり、前記少なくとも１つの領域の不正確な開始論理セクタ番号がDDSに貯蔵されることを特徴とする請求項１９に記載の検証方法。
【請求項２４】
前記ディスク定義構造に貯蔵されている不正確な開始論理セクタ番号は前記テストディスクの使用者データ領域において相応する実際の開始論理セクタ番号と一致していないことを特徴とする請求項１９に記載の検証方法。
【請求項２５】
前記DDSに貯蔵されている不正確な開始論理セクタ番号は前記テストディスクの使用者データ空間の相応する実際の開始論理セクタ番号と一致していないことを特徴とする請求項２０に記載の検証方法。
【請求項２６】
前記方法は、前記テストディスクに前記テスト情報を貯蔵する前に空ディスクに知っている物理的な欠陥を貯蔵して前記テストディスクを生成する段階をさらに含む請求項１９に記載の検証方法。
【請求項２７】
前記テスト情報は前記テストディスクに貯蔵された前記知っている物理的な欠陥を考慮せずに前記テストディスク上に記録されたものであることを特徴とする請求項２６に記載の検証方法。
【請求項２８】
DMA情報を有するディスクに情報を記録したり、前記ディスクから情報を再生する記録及び再生装置のDMA情報解読機能を検証するための装置において、
テストディスク上の少なくとも１つの領域の不正確な開始論理セクタ番号を有するテスト情報を貯蔵する基準ディスク駆動装置を含み、
前記テストディスクは前記記録及び再生装置が前記テストディスクに対して記録または再生モードで処理を行っているかを決定するのに使用することを特徴とする検証装置。
【請求項２９】
前記検証装置は、前記記録及び再生装置が前記テストディスクに対して記録または再生モードで処理を行っているかを決定する検証器をさらに含む請求項２８に記載の検証装置。
【請求項３０】
前記記録及び再生装置が前記テストディスクに対して記録または再生モードで処理を行っているかを使用者により決定しうる請求項２８に記載の検証装置。
【請求項３１】
前記各領域の開始論理セクタは不正確であることを特徴とする請求項２８に記載の検証装置。
【請求項３２】
前記基準ディスク駆動装置は前記テストディスクのDMAのDDSに各領域の開始論理セクタ番号を記録することを特徴とする請求項２８に記載の検証装置。
【請求項３３】
前記基準ディスク駆動装置は前記テストディスクのDMAのDDSに各領域の開始論理セクタ番号を記録することを特徴とする請求項３１に記載の検証装置。
【請求項３４】
前記テスト情報はDDS、１次欠陥リスト及び２次欠陥リスト情報を有するDMAミラーファイルであり、少なくとも１つの領域の不正確な開始論理セクタ番号をDDSに貯蔵する請求項２８に記載の検証装置。
【請求項３５】
前記DDSに貯蔵されている少なくとも１つの領域の不正確な開始論理セクタ番号は前記テストディスクの使用者データ領域に相応する実際の開始論理セクタ番号と一致していない請求項２８に記載の検証装置。
【請求項３６】
前記DDSに貯蔵されている不正確な開始論理セクタ番号は前記テストディスクの使用者データ領域に相応する実際の開始論理セクタ番号と一致していない請求項３１に記載の検証装置。
【請求項３７】
前記テストディスクはブランクディスクに貯蔵された知っている物理的な欠陥を有する請求項２８に記載の検証装置。
【請求項３８】
前記基準ディスク駆動装置は前記テストディスクに貯蔵された知っている物理的の欠陥を考慮せずにテストディスクに前記テスト情報を記録した請求項３７に記載の検証装置。
【請求項３９】
光ディスクに情報を記録及び再生するディスク記録及び再生装置において、
光を放射する光源と、
情報を記録及び再生するために前記光ディスク上に光をフォーカスするフォーカス素子と、
前記光源を制御する制御器とを含み、
前記制御器は、
テストディスクに少なくとも１つの領域の不正確な開始論理セクタ番号を有するテスト情報を貯蔵する段階と、
前記テストディスクに読出または書込モードにおいて処理を行っているかを決定する段階により、前記記録及び再生装置がＤＭＡ情報が正常に生成または更新するかを検証することを特徴とするディスクの記録及び再生装置。
【請求項４０】
前記各地域の開始論理セクタは不正確であることを特徴とする請求項３９に記載のディスク記録及び再生装置。
【発明の詳細な説明】
【０００１】
【発明の属する技術分野】
本発明は記録及び再生可能なディスクを記録及び再生しうる装置に係り、特にディスクを記録及び再生しうる装置がディスクの欠陥管理領域(Defect Management Area；DMA)情報を正常に生成または更新するかを検証する方法及びこれを行うためのテスト装置に関する。
【０００２】
【従来の技術】
前述した記録及び再生可能なディスクはレーザーのように光の性質を用いて情報を記録/再生する光ディスクであって、DVD-RAM(Digital Versatile Disc Random Access Memory；DVD-RAM)を例として挙げられる。このDVD-RAMは再記録可能な(rewritable)ディスクである。“DVD Specifications for rewritable disc Part１ Physical Specifications version２.０.”規格によれば、前述したDVD-RAMはディスク上の欠陥(defect)を管理するためにディスクの一面当り４つのDMA(DMA１、DMA２、DMA３、DMA４)が存在することになる。
【０００３】
この４つのDMAのうちDMA１とDMA２は、図１に示されたように、ディスクの内径(inner diameter)に隣接したリードイン(Lead-in)領域に位置し、DMA３とDMA４はディスクの外径(outer diameter)に隣接したリードアウト(Lead-out)領域に位置する。そして、各DMAには予備セクタが後続する。
【０００４】
このようなDMAには各々ディスク定義構造(Disc Definition Structure；DDS)と１次欠陥リスト(Primary DefectList；PDL)及び２次欠陥リスト(Secondary Defect List；SDL)が貯蔵される。前述したDDSにはディスク検定フラグ(disc certification flag)、DDS/PLDアップデートカウンタ及び各領域別開始論理セクタ番号などディスクのフォーマットされた構造に関する情報が含まれ、PDLにはディスクの初期化時に発見されたディスク上のあらゆる欠陥セクタに関する情報が含まれ、SDLにはディスク使用中発生した欠陥ブロック(１ECC(Error-Correction Code)ブロック)の最初のセクタのセクタ番号と欠陥ブロックと置換(replacement)される余裕ブロック(spareblocks)の最初のセクタのセクタ番号に対する情報と余裕空間(sparearea)に関する情報が含まれる。
【０００５】
このようにDMAに貯蔵されている情報は直ちに読取って使用可能なものもあるが、ディスク上に存在する欠陥の位置及び数によって変更される情報も含まれており、DMAに登録されている欠陥情報に基づいた演算を通じて得られる情報も含まれている。欠陥情報に基づいた演算を通じて得られる情報としては各地域の開始セクタ番号または論理セクタ番号０の位置情報などがある。
【０００６】
このようなDMAがディスクの一面当り４つ存在するのは、DMA情報のエラーで誤った欠陥管理がなされることを防止するためである。そして、DMA情報はデータの物理的なセクタと密接した関係を有するので、移動可能な光ディスクのような記録媒体はDMAの情報が誤って記録及び解読される場合、ディスク記録及び再生装置間の互換性の問題が発生することになる。
【０００７】
これはディスク記録及び再生装置(例えば、DVD-RAM記録再生装置)の記録及び再生階層をファイルシステム階層、ホストコンピューターと記録再生可能なディスク記録及び再生装置を連結するホストインターフェース階層、物理的な信号を記録再生する物理的なディスク記録及び再生装置(またはディスク駆動装置)階層及び記録媒体階層などに区分する時、物理的なディスク記録及び再生装置階層の以下でDMA情報に対する記録及び解読が行われるからである。
【０００８】
すなわち、実際のファイルシステムでは論理的なセクタ番号のみを用いて記録または再生を希望する使用者情報をディスク記録及び再生装置に渡し、ディスク記録及び再生装置は論理セクタ番号を物理的なセクタ番号に変えて使用者情報に関する記録または再生処理を行い、この時、DMA情報を使用することになる。したがって、１つのディスク記録及び再生装置からDMA情報を誤読したり、誤記録した場合に、他のディスク記録及び再生装置においてデータを正しく読出/書込できない問題が発生する。
【０００９】
したがって、ディスク記録及び再生装置においてディスクに記録されているDMA情報を正確に解読し、ディスク上にDMA情報を正確に生成または更新するかを確認しうる方法が必要となった。
【００１０】
【発明が解決しようとする課題】
本発明は前記問題点を解決するために案出されたものであって、ディスク記録及び再生装置を通じて読出または書込モードの実行時、DMA情報を正常に解読しているかを検証するための検証方法を提供するのにその目的がある。
【００１１】
本発明の他の目的は、ディスク記録及び再生装置を通じて読出または書込モードの実行時、空ディスク(blank disc)とテスト条件を満たすように構成されたテスト基準DMAミラーファイルを用いて生成したディスクのDMA情報を正常に解読しているかを検証するための検証方法を提供するのにある。
【００１２】
本発明のさらに他の目的は、ディスク記録及び再生装置を通じて読出または書込モードの実行時、各領域の開始論理セクタ番号が誤ったDMA情報を有するディスクのDMA情報を正常に解読しているかを検証するための検証方法を提供するのにある。
【００１３】
本発明のさらに他の目的は、ディスク記録及び再生装置を通じて読出または書込モードの実行時、DMA情報を正常に解読しているかをテストするためのテスト装置を提供するのにある。
本発明の追加的な目的及び利点は後述する詳細な説明で説明され、詳細な説明から明白になり、本発明の実施によってわかる。
【００１４】
【課題を解決するための手段】
前記目的を達成するために本発明に係る方法は、DMA情報を有するディスクを記録及び再生しうる記録及び再生装置のDMA解読機能を検証する方法において、テスト基準情報を有するテスト用ディスクを用いて記録及び再生装置で読出または書込モードを行う段階と、記録及び再生装置の読出または書込モードに対して実行するか否かを確認してDMA情報解読機能を検証する段階とを含むことが望ましい。
【００１５】
前記目的を達成するために本発明に係る装置は、DMA情報を有するディスクを記録及び再生しうる記録及び再生装置のDMA解読機能をテストする装置において、テスト基準情報を有するテスト用ディスクと、テスト用ディスクが設けられると、テスト用ディスクに記録されたDMA情報を解読して読出または書込モードの実行を試みるテスト対象ディスク駆動装置を含むことが望ましい。
【００１６】
【発明の実施の形態】
以下、添付された図面に基づいて本発明の望ましい実施形態を詳しく説明する。同一な構成要素は同一な番号を付する。
図２は本発明に係るディスク駆動装置のテスト装置に関する機能ブロック図であって、C-１ディスク２０１、DMAミラーファイル提供部２０３、基準ディスク駆動装置２０５、C-４ディスク２０７、テスト対象ディスク駆動装置２０９及び検証器２１１で構成される。
【００１７】
C-１ディスク２０１はDVD-RAMのように再記録が可能なディスクに情報を記録及び再生しうるディスク駆動装置をテストするために人為的に物理的な欠陥が存在するように製作されたテスト用ディスクであって、何らの情報も記録されていない空ディスクである。C-１ディスク２０１に記録された情報はなく、故意的な欠陥だけ存在する限りC-１ディスク２０１は空いたものと見なされることがある。C-１ディスク２０１に存在する物理的な欠陥は所望のディスク駆動装置をテストする時、既知の情報として利用される。また、C-１ディスク２０１は再記録が可能なディスクに関する“DVD specification for Rewritable disc version ２.０.”規格書に規定されている４.７GBの容量を有する相変化記録方式のDVD-RAM条件を満たすように構成されたディスクである。
【００１８】
DMAミラーファイル提供部２０３は、図１に示されたようにDDS、PDL及びSDLに関する情報を含むテスト基準DMAミラーファイルを提供する。
特に、提供されるテスト基準DMAミラーファイルは各領域の開始論理セクタ番号(start LSN(Logical Sector Number)；開始LSN)を意図的に誤記録したものである。開始LSNに関する情報は図３に示されたようにDMAのうちDDSに記録されるものであって、１つのディスクに存在する地域が３５の場合に３５が存在する。これは各地域の開始LSNが正常にデータが記録される最初のセクタであるからである。そして、前述したテスト基準DMAミラーファイルは各地域の開始LSNが誤記録されただけでなく、あらゆる種類の欠陥情報が含まれた形に提供されることもある。
【００１９】
基準ディスク駆動装置２０５はディスクに情報を記録及び再生しうるディスク駆動装置をテストするために変形されたテスト用ディスク記録及び再生装置である。この基準ディスク駆動装置２０５はC-１ディスク２０１が設けられてDMAミラーファイル提供部２０３からテスト基準DMAミラーファイルが提供されると、テスト基準DMAミラーファイルをC-１ディスク２０１に記録したC-４ディスク２０７を生成するように構成される。この際、C-１ディスク２０１に記録されるテスト基準DMAミラーファイルはC-１ディスク２０１に存在する物理的な欠陥とは関係なく記録される。したがって、C-４ディスク２０７はC-１ディスク２０１に存在する物理的な欠陥が存在しつつこの物理的な欠陥と無関係のテスト基準DMAミラーファイルが記録されたディスクである。このC-４ディスク２０７に記録されたテスト基準DMAミラーファイルは使用者が知っている固定された情報(pre-fixed)である。そして、C-４ディスク２０７は再記録が可能なディスクに関する“DVD specification for Rewritable disc version ２.０”規格書に規定されている４.７GBの容量を有する相変化記録方式のDVD-RAM条件を満たすように構成されたディスクである。
【００２０】
テスト対象ディスク駆動装置２０９は再記録が可能なディスクに情報を記録及び再生可能に構成されたディスク記録及び再生装置である。このテスト対象ディスク駆動装置２０９は前述したように構成されたC-４ディスク２０７が設けられると、ユーザーデータ領域に関する読出または書込モードを行うことになる。テスト対象ディスク駆動装置２０９は設けられたC-４ディスク２０７のDMAに記録されているLSN０の位置と各地域の開始LSNの位置を参照してユーザーデータ領域における該当位置を探して読出または書込モードを行うことになる。
【００２１】
しかし、前述したように設けられたC-４ディスク２０７は開始LSNが誤記録されたものであるため、テスト対象ディスク駆動装置２０９が正常に動作される装置の場合に読出または書込モードは行われない。このようなテスト対象ディスク駆動装置２０９の読出または書込モードの実行結果は検証器２１１に提供される。
【００２２】
検証器２１１はテスト対象ディスク駆動装置２０９から読出または書込モードが正常に行われなかったことを知らせる信号が伝送されると、テスト対象ディスク駆動装置２０９のDMA解読機能が正常であることを知らせるテスト結果を出力する。しかし、読出または書込モードが正常に行われることを知らせる信号が伝送されると、テスト対象ディスク駆動装置２０９のDMA解読機能が正常ではないことを知らせるテスト結果を出力する。
【００２３】
一方、テスト対象ディスク駆動装置２０９の読出または書込モードに対する実行結果は前述したように検証器２１１を通じて出力されず、テスト対象ディスク駆動装置２０９の次元で出力されるように具現されることもできる。例えば、使用者が検証器２１１を通じなくテスト対象ディスク駆動装置２０９の読出または書込モードに対して実行するか否かを確認する方式で具現することもできる。
【００２４】
図４は本発明に係るディスク駆動装置のテスト方法に対する動作フローチャートであって、段階４０１で前述した図２のような条件を揃えたC-１ディスク２０１に前述した図２のような条件を有するテスト基準DMAミラーファイルを記録してC-４ディスク２０７を生成する。
【００２５】
次いで、段階４０２でテスト対象ディスク駆動装置２０９にC-４ディスク２０７を設けると、段階４０３でテスト対象ディスク駆動装置２０９がユーザーデータ領域に対する読出または書込モードを行うことになる。このようにテスト対象ディスク駆動装置２０９は使用者データ領域にデータを記録したり、使用者データ領域からデータを読出すことを試みる。この際、テスト対象ディスク駆動装置２０９は設けられたC-４ディスク２０７のDMAのDDSに記録されているLSN０と各地域の開始LSNを参照することになるが、前述したようにテスト基準DMAミラーファイルのDDSに記録された開始LSNはユーザーデータ領域の実際開始LSNと一致していないので、テスト対象ディスク駆動装置２０９の機能が正常な場合に読出または書込モードを行ってはならない。
【００２６】
したがって、段階４０４でテスト対象ディスク駆動装置２０９の読出または書込モードが行われるかをチェックする。このようにテスト対象ディスク駆動装置２０９が実質的に使用者データ領域にデータを記録したり使用者データ領域からデータを読出しているかをチェックする。テスト対象ディスク駆動装置２０９がデータを読出したり、データを使うために制御される時、テスト対象ディスク駆動装置２０９がデータを読出または使うために動作するものと判断されれば、段階４０５で使用者にテスト対象ディスク駆動装置２０９のDMA解読機能が正常ではないことを通報することになる。
【００２７】
しかし、段階４０４でチェックした結果、テスト対象ディスク駆動装置２０９の読出または書込モードにおいて読出または書込処理が行われないと、段階４０６に進行して該当するテスト対象ディスク駆動装置２０９のDMA解読機能が正常であることを通報することになる。
【００２８】
図５は光を放射する光源２２、ディスクD上に光源からの光をフォーカスするフォーカス素子２４及び光源２２を制御する制御器２６を有するテスト対象ディスク駆動装置１１０を示す。前述した検証処理は制御器２６の適した動作を検証する。
前述した実施形態はC-１ディスク２０１とC-４ディスク２０７の構造が再記録が可能なディスク規格書２.０.を満たす環境にも適用しうる。
【００２９】
【発明の効果】
前述したように本発明は空ディスクと開始論理セクタ番号が誤記録されたテスト基準DMAミラーファイルを用いて製作されたテスト用ディスク(C-４ディスク)を用いたテスト対象ディスク駆動装置の読出または書込モードを実行するか否かを判断してディスク駆動装置のDMA解読機能をテストすることによって、ディスク駆動装置の読出または書込モードの実行時、DMA解読機能が正常に行われるかを確認できかつこのようなテスト用ディスクを製作社が別に製作及び提供するによってコストを低減しうる。使用者は基準ディスク駆動装置、DMAミラーファイル提供部及びC-１ディスクを用いてC-４ディスクを生産しうる。
【００３０】
本発明は前述した実施形態に限定されず、本発明の思想内で当業者による変形が可能なのはもちろんである。したがって、本発明において権利の請求範囲は詳細な説明の範囲内で決まるのではなく、特許請求の範囲に限定されるものである。
【図面の簡単な説明】
【図１】  再記録が可能なディスクの概略的な構造図である。
【図２】  本発明に係るテスト装置の機能ブロック図である。
【図３】  図２に示されたC-４ディスクのDMAのDDS構造図である。
【図４】  本発明に係る検証方法に関する動作フローチャートである。
【図５】  図２に示されたテスト対象ディスク駆動装置のブロック図である。
【符号の説明】
２０１  C-１ディスク
２０３  DMAミラーファイル提供部
２０５  基準ディスク駆動装置
２０７  C-４ディスク
２０９  テスト対象ディスク駆動装置
２１１  検証器
【図１】
0003642743.tif 000002
【図２】
0003642743.tif 000003
【図３】
0003642743.tif 000004
【図４】
0003642743.tif 000005
【図５】
0003642743.tif 000006